(57)【要約】      （修正有）【課題】パネルが傷ついてしまう可能性を低減することができるパネル部材および収容部材を備えた構造体、パネル部材、および収容部材を提供する。【解決手段】構造体Ｚ１は、パネル、および、パネルの第２主面上に設けられた第１保護シートを有したパネル部材Ｘ１と、パネル部材Ｘ１に対向する基部および基部上に位置する側壁を含み、パネル部材Ｘ１が収容された収容部１００を有した収容部材Ｙ１と、を備え、第１保護シートは、第１開口部３１ａが設けられておりかつ平面視してパネルの外側に張り出した第１張出部を有しており、基部には、第１開口部３１ａ内に位置しかつ第１開口部３１ａの内壁に当接可能な突起部１０３が設けられている。【選択図】図１
2014105006.tif 000002
【特許請求の範囲】
【請求項１】
パネル、および、該パネルの一方の主面上に設けられた第１保護シートを有したパネル部材と、
該パネル部材に対向する基部および該基部上に位置する側壁を含み、前記パネル部材が収容された収容部を有した収容部材と、を備えた構造体であって、
前記第１保護シートは、第１開口部が設けられておりかつ平面視して前記パネルの外側に張り出した第１張出部を有しており、
前記基部には、前記第１開口部内に位置しかつ前記第１開口部の内壁に当接可能な突起部が設けられている、構造体。
【請求項２】
前記突起部の先端部における径は、前記突起部の底部における径よりも小さい、請求項１に記載の構造体。
【請求項３】
前記突起部の前記先端部における径は、前記第１開口部の開口径よりも小さく、
前記突起部の前記底部における径は、前記第１開口部の開口径よりも大きい、請求項２に記載の構造体。
【請求項４】
前記第１開口部の前記内壁は、前記突起部を取り囲んで接している、請求項１〜３のいずれか一項に記載の構造体。
【請求項５】
前記第１開口部は、前記第１張出部に複数設けられており、
複数の前記第１開口部は、平面視して前記パネルを挟んで互いに離間して位置しており、
前記突起部は、複数の前記第１開口部のそれぞれに対応して前記基部に複数設けられている、請求項１〜４のいずれか一項に記載の構造体。
【請求項６】
前記第１張出部には、平面視して前記第１開口部の外縁から前記第１保護シートの外縁に亘って複数の孔が設けられている、請求項１〜５のいずれか一項に記載のパネル部材。
【請求項７】
前記側壁は、前記パネル部材を取り囲むように位置しており、かつ前記基部に対して前記パネル部材から遠ざかる方向に傾斜している、請求項１〜６のいずれか一項に記載の構造体。
【請求項８】
前記パネル部材は、前記基部とは空間を介して離間している、請求項１〜７のいずれか一項に記載の構造体。
【請求項９】
前記パネルの他方の主面上に設けられた第２保護シートをさらに備え、
前記第２保護シートは、平面視して前記第１開口部と重なる第２開口部が設けられておりかつ前記パネルの外側に張り出した第２張出部を有しており、
前記突起部は、前記第２開口部内に位置しておりかつ前記第２開口部の内壁に当接可能である、請求項１〜８のいずれか一項に記載の構造体。
【請求項１０】
前記第１開口部は、前記第２開口部よりも前記基部側に位置しており、
前記第１開口部の開口径は、前記第２開口部の開口径よりも大きい、請求項９に記載の構造体。
【請求項１１】
収容部材に設けられた収容部に収容可能なパネル部材であって、
パネルと、
該パネルの一方の主面上に設けられた第１保護シートと、を備え、
前記第１保護シートは、平面視して前記パネルの外側に張り出した第１張出部を有しており、
前記第１張出部には、前記収容部に設けられた突起部が挿入される第１開口部が設けられている、パネル部材。
【請求項１２】
パネル上に第１保護シートが設けられたパネル部材を収容可能な収容部を有した収容部材であって、
前記収容部は、基部と、該基部上に位置する側壁と、を備えており、
前記基部には、前記第１保護シートに設けられた第１開口部に挿入する突起部が設けられている、収容部材。
【発明の詳細な説明】
【技術分野】
【０００１】
本発明は、パネル部材および収容部材を備えた構造体、パネル部材、および収容部材に関する。
【背景技術】
【０００２】
従来から、表示パネルあるいはタッチパネル等のパネルを、収容部材の収容部に収容した構造体が知られている。このような構造体では、例えば、収容部は、パネルが載置される基部、および、基部上に位置しかつパネルを取り囲むように位置する側壁を有している（例えば、特許文献１参照）。
【先行技術文献】
【特許文献】
【０００３】
【特許文献１】特開２００７−１１９０７１号公報
【発明の概要】
【発明が解決しようとする課題】
【０００４】
しかしながら、上記従来の構造体では、例えば、当該構造体を所望の場所に搬送する際に、収容部内においてパネルが振動する可能性があった。収容部内においてパネルが振動すると、パネルと基部とが互いに擦り合い、パネルが傷ついてしまう可能性があった。
【０００５】
本発明は、上記の問題点に鑑みてなされたものであり、その目的は、パネルが傷ついてしまう可能性を低減することができるパネル部材および収容部材を備えた構造体、パネル部材、および収容部材に関する。
【課題を解決するための手段】
【０００６】
本発明の構造体における一態様は、パネル、および、該パネルの一方の主面上に設けられた第１保護シートを有したパネル部材と、該パネル部材に対向する基部および該基部上に位置する側壁を含み、前記パネル部材が収容された収容部を有した収容部材と、を備えた構造体であって、前記第１保護シートは、第１開口部が設けられておりかつ平面視して前記パネルの外側に張り出した第１張出部を有しており、前記基部には、前記第１開口部内に位置しかつ前記第１開口部の内壁に当接可能な突起部が設けられている。
【０００７】
本発明のパネル部材における一態様は、収容部材に設けられた収容部に収容可能なパネル部材であって、パネルと、該パネルの一方の主面上に設けられた第１保護シートと、を備え、前記第１保護シートは、平面視して前記パネルの外側に張り出した第１張出部を有しており、前記第１張出部には、前記収容部に設けられた突起部が挿入される第１開口部が設けられている。
【０００８】
本発明の収容部材における一態様は、パネル上に第１保護シートが設けられたパネル部材を収容可能な収容部を有した収容部材であって、前記収容部は、基部と、該基部上に位置する側壁と、を備えており、前記基部には、前記第１保護シートに設けられた第１開口部に挿入する突起部が設けられている。
【発明の効果】
【０００９】
本発明のパネル部材および収容部材を備えた構造体、パネル部材、および収容部材は、パネルが傷ついてしまう可能性を低減することができる、という効果を奏する。
【図面の簡単な説明】
【００１０】
【図１】本実施形態に係る構造体の概略構成を示す斜視図である。
【図２】本実施形態に係るパネル部材の概略構成を示す平面図である。
【図３】（ａ）は、図２中に示したＩ-Ｉ線断面図である。（ｂ）は、図２中に示したＩＩ-ＩＩ線断面図である。
【図４】本実施形態に係る収容部材の収容部の概略構成を示す平面図である。
【図５】（ａ）は、図４中に示したＩＩＩ-ＩＩＩ線断面図である。（ｂ）は、図４中に示したＩＶ-ＩＶ線断面図である。
【図６】本実施形態に係る構造体のうち、収容部およびパネル部材の概略構成を示す平面図である。
【図７】（ａ）は、図６中に示したＶ-Ｖ線断面図である。（ｂ）は、図６中に示したＶＩ-ＶＩ線断面図である。
【図８】変形例１に係る構造体の概略構成を示す斜視図である。
【図９】変形例１に係るパネル部材の概略構成を示す平面図である。
【図１０】（ａ）は、図９中に示したＶＩＩ-ＶＩＩ線断面図である。（ｂ）は、図９中に示したＶＩＩＩ-ＶＩＩＩ線断面図である。
【図１１】変形例１に係る構造体のうち、収容部およびパネル部材の概略構成を示す平面図である。
【図１２】（ａ）は、図１１中に示したＩＸ-ＩＸ線断面図である。（ｂ）は、図１１中に示したＸ-Ｘ線断面図である。
【図１３】変形例２に係る構造体の概略構成を示す斜視図である。
【図１４】変形例２に係るパネル部材の概略構成を示す平面図である。
【図１５】図１４中に示した一点鎖線で囲んだ領域Ａ１を拡大した図である。
【図１６】変形例２に係る構造体のうち、収容部およびパネル部材の概略構成を示す平面図である。
【図１７】変形例３に係る構造体の概略構成を示す斜視図である。
【図１８】変形例３に係るパネル部材の概略構成を示す平面図である。
【図１９】（ａ）は、図１８中に示したＸＩ-ＸＩ線断面図である。（ｂ）は、図１８中に示したＸＩＩ-ＸＩＩ線断面図である。
【図２０】図１８中に示した一点鎖線で囲んだ領域Ａ２を拡大した図である。
【図２１】変形例３に係る構造体のうち、収容部およびパネル部材の概略構成を示す平面図である。
【図２２】（ａ）は、図２１中に示したＸＩＩＩ-ＸＩＩＩ線断面図である。（ｂ）は、図２１中に示したＸＩＶ-ＸＩＶ線断面図である。
【図２３】変形例４に係る構造体の概略構成を示す斜視図である。
【図２４】変形例４に係る構造体のうち、収容部およびパネル部材の概略構成を示す平面図である。
【図２５】（ａ）は、図２４中に示したＸＶ-ＸＶ線断面図である。（ｂ）は、図２４中に示したＸＶＩ-ＸＶＩ線断面図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係るパネル部材および収容部材を備えた構造体、パネル部材、および収容部材は、本明細書が参照する各図に示されていない任意の構成部材を備え得る。
【００１３】
図１に示すように、本実施形態に係る構造体Ｚ１は、パネル部材Ｘ１および収容部材Ｙ１を備えている。
【００１４】
パネル部材Ｘ１は、使用者が指あるいはペン等で操作した箇所を入力位置として検出するタッチパネルを含む部材である。なお、本実施形態では、構造体Ｚ１は、２つのパネル部材Ｘ１を備えているが、これは、説明の便宜上簡略化して示したものであり、これに限らない。パネル部材Ｘ１は、１つであってもよいし、３つ以上であってもよい。
【００１５】
収容部材Ｙ１は、パネル部材Ｘ１を収容する役割を有する。収容部材Ｙ１は、パネル部材Ｘ１を収容するための収容部１００を有している。パネル部材Ｘ１は、収容部１００に収容される。なお、本実施形態では、収容部材Ｙ１は、４つの収容部１００を有しているが、これは、説明の便宜上簡略化して示したものであり、これに限らない。収容部１００は、３つ以下であってもよいし、５つ以上であってもよい。収容部材Ｙ１の構成材料としては、例えば、ポリオレフィン系樹脂発泡体が挙げられる。
【００１６】
このように、構造体Ｚ１では、収容部材Ｙ１における収容部１００にパネル部材Ｘ１を収容することによって、パネル部材Ｘ１を所望の場所に搬送することができる。
【００１７】
ここで、図１に加えて、図２および図３を参照しながら、構造体Ｚ１が備えるパネル部材Ｘ１について詳細に説明する。
【００１８】
図２および図３に示すように、パネル部材Ｘ１は、パネル１、フレキシブル配線基板２、および第１保護シート３を備えている。
【００１９】
パネル１は、静電容量方式のタッチパネルである。パネル１は、第１主面１Ａを有している。パネル１は、第１主面１Ａの反対側に位置する第２主面１Ｂを有している。なお、パネル１は、図示しない検出電極を含んでいる。このため、パネル１では、パネル１の第１主面１Ａに対して、使用者の指等の導電体が近接あるいは接触することによって、検出電極と導電体との間に静電容量が生じ、当該静電容量に応じて入力位置を検出することができる。
【００２０】
なお、本実施形態では、パネル１は、平面視して矩形状であるが、これに限らず、例えば、平面視して円形状あるいは多角形状等であってもよい。
【００２１】
また、本実施形態では、パネル１は、静電容量方式のタッチパネルであるが、これに限らず、例えば、抵抗膜方式のタッチパネル、表面弾性波方式のタッチパネル、赤外線方式のタッチパネル、あるいは電磁誘導方式のタッチパネル等であってもよい。また、パネル１は、タッチパネルでなくともよく、例えば、液晶あるいは有機ＥＬ等の表示素子を備えた表示パネル、ガラスパネル、あるいはプラスチックパネル等であってもよい。
【００２２】
フレキシブル配線基板２は、例えば、パネル１が電子機器に搭載された場合に、パネル１の検出電極と外部の検出用ＩＣとを電気的に接続する役割を有する。フレキシブル配線基板２は、平面視して一部がパネル１と重なっており、残部がパネル１の外側に位置している。フレキシブル配線基板２の一部は、パネル１の第１主面１Ａ上において、検出電極と電気的に接続されている。フレキシブル配線基板２の残部は、平面視してパネル１の短辺から引き出されており、Ｌ字状に形成されている。
【００２３】
なお、本実施形態では、フレキシブル配線基板２の一部は、パネル１の第１主面１Ａ上において検出電極と電気的に接続されているが、これに限らず、パネル１の第２主面１Ｂ上において検出電極と電気的に接続されていてもよい。また、フレキシブル配線基板２は、なくともよい。
【００２４】
第１保護シート３は、パネル１の第２主面１Ｂを保護する役割を有する。第１保護シート３は、パネル１の第２主面１Ｂ上に設けられている。第１保護シート３は、平面視して第２主面１Ｂの全部と重なっている。なお、第１保護シート３は、平面視して第２主面１Ｂの一部と重なっていてもよい。また、本実施形態では、第１保護シート３は、平面視して矩形状であるが、これに限らず、例えば、平面視して円形状あるいは多角形状等であってもよい。第１保護シート３の構成材料としては、例えば、ポリカーボネート樹脂、ポリエチレンテレフタレート樹脂、アクリル樹脂、ポリエチレン樹脂、あるいはポリプロピレン樹脂等が挙げられる。
【００２５】
第１保護シート３は、第１張出部３１を有している。第１張出部３１は、パネル部材Ｘ１が収容部材Ｙ１の収容部１００に収容された場合に（図６および図７参照）、パネル１と側壁１０２とが接触する可能性を低減する役割を有する。第１張出部３１は、平面視してパネル１の外側に張り出している。具体的には、第１張出部３１は、平面視してパネル１を取り囲むように位置している。なお、第１張出部３１は、平面視してパネル１を取り囲んでいなくともよく、例えば、平面視してパネル１の任意の一辺から張り出していてもよい。
【００２６】
第１張出部３１には、第１開口部３１ａおよび第１突出部３１ｂが設けられている。
【００２７】
第１開口部３１ａは、パネル部材Ｘ１が収容部材Ｙ１の収容部１００に収容された場合に、突起部１０３に挿入されるための部位である。第１開口部３１ａは、平面視してパネル１の４つの角部に対応して、４つ設けられている。なお、第１開口部３１ａの数あるいは配置位置については、特に限定されない。また、本実施形態では、第１開口部３１ａは、平面視して略円形状であるが、これに限らず、例えば、平面視して多角形状等であってもよい。
【００２８】
第１突出部３１ｂは、パネル１から第１保護シート３をとり剥がしやすくする役割を有する。本実施形態では、第１突出部３１ｂは、２つ設けられている。一方の第１突出部３１ｂは、平面視して第１保護シート３の長辺から突出しており、第１開口部３１ａの１つと隣接している。他方の第１突出部３１ｂは、平面視して第１保護シート３の短辺から突出しており、第１開口部３１ａの１つと隣接している。なお、第１突出部３１ｂの数あるいは配置位置については、特に限定されない。
【００２９】
次に、図１〜図３に加えて、図４および図５を参照しながら、構造体Ｚ１が備える収容部材Ｙ１の収容部１００について詳細に説明する。なお、図４では、パネル部材Ｘ１が収容部材Ｙ１の収容部１００に収容された場合に、パネル１が位置する領域を点線で示している。
【００３０】
図４および図５に示すように、収容部１００は、基部１０１および側壁１０２を含んでいる。
【００３１】
基部１０１は、パネル部材Ｘ１が収容部材Ｙ１の収容部１００に収容された場合に、パネル部材Ｘ１を載置する役割を有する。ここで、基部１０１には、突起部１０３が設けられている。突起部１０３は、パネル部材Ｘ１が収容部材Ｙ１の収容部１００に収容された場合に、第１開口部３１ａに挿入するための部位である。突起部１０３は、基部１０１の上面１０１Ａに設けられている。具体的には、突起部１０３は、平面視してパネル１が位置する領域と側壁１０２との間に位置しており、パネル１の４つの角部に対応するように４つ設けられている。なお、突起部１０３の数あるいは配置位置については、特に限定されない。また、突起部１０３は、円錐形状を有している。なお、突起部１０３は、円柱形状あるいは多角柱形状等を有していてもよい。
【００３２】
側壁１０２は、例えば、収容部材Ｙ１が有する複数の収容部１００を区画する役割を有する。側壁１０２は、基部１０１の上面１０１Ａ上に位置している。具体的には、側壁１０２は、平面視してパネル１が位置する領域を取り囲むように位置している。なお、側壁１０２は、平面視してパネル１が位置する領域を取り囲んでいなくともよい。
【００３３】
このように、収容部１００では、基部１０１および側壁１０２によって取り囲まれる領域において、パネル部材Ｘ１を収容することができるように構成されている。ここで、当該領域には、第１領域１０４、第２領域１０５、および第３領域１０６が含まれている。
【００３４】
第１領域１０４は、パネル部材Ｘ１が収容部材Ｙ１の収容部１００に収容された場合に、フレキシブル配線基板２を収容するための領域である。第１領域１０４は、パネル部材Ｘ１が収容部材Ｙ１の収容部１００に収容された場合に、フレキシブル配線基板２が位置する領域に対応して設けられている。
【００３５】
第２領域１０５は、パネル部材Ｘ１が収容部材Ｙ１の収容部１００に収容された場合に、第１張出部３１を収容するための領域である。第２領域１０５は、パネル部材Ｘ１が収容部材Ｙ１の収容部１００に収容された場合に、第１張出部３１が位置する領域に対応して設けられている。
【００３６】
第３領域１０６は、パネル部材Ｘ１を収容部１００に収容しやすくする役割を有する。第３領域１０６は、平面視してパネル１の２つの長辺のそれぞれに対応して、当該長辺の中央部付近に設けられている。このため、パネル１の２つの長辺を狭持するようにして、パネル部材Ｘ１を収容部１００に収容することができる。
【００３７】
なお、第１領域１０４、第２領域１０５、および第３領域１０６の数あるいは配置位置については、パネル部材Ｘ１の構成に応じて適宜変更することができる。
【００３８】
次に、図１〜図５に加えて、図６および図７を参照しながら、構造体Ｚ１における収容部１００および当該収容部１００に収容されたパネル部材Ｘ１について、詳細に説明する。
【００３９】
図６および図７に示すように、パネル部材Ｘ１は、収容部１００に収容されている。具体的には、パネル１の第２主面１Ｂは、第１保護シート３を介して基部１０１に載置されている。また、パネル部材Ｘ１は、側壁１０２によって取り囲まれている。ここで、突起部１０３は、第１開口部３１ａ内に位置している。具体的には、突起部１０３は、第１開口部３１ａに挿入されている。また、突起部１０３は、第１開口部３１ａの内壁に当接している。具体的には、突起部１０３は、平面視して第１開口部３１ａの外縁と当接している。このため、構造体Ｚ１では、パネル１が傷ついてしまう可能性を低減することができる。
【００４０】
具体的には、従来の構造体では、当該構造体を所望の場所に搬送する際に、収容部内においてパネルが振動する可能性があった。収容部内においてパネルが振動すると、パネルと基部とが擦り合うことでパネルが傷ついてしまう可能性があった。なお、パネルの第２主面上に第１保護シートを設けた場合、パネルと基部とが直接当接する可能性を低減することができる。しかしながら、パネルの第２主面上に第１保護シートを設けた場合であっても、構造体を所望の場所に搬送する際に、第１保護シートと基部とが擦り合うことで第１保護シートの一部が削れてしまう可能性があった。第１保護シートの一部が削れてしまうと、当該一部がパネルに付着し、パネルが傷ついてしまう可能性があった。
【００４１】
そこで、構造体Ｚ１では、パネル１の第２主面１Ｂ上に第１保護シート３が設けられており、当該第１保護シート３の第１張出部３１には第１開口部３１ａが設けられている。また、基部１０１には、第１開口部３１ａ内に位置しかつ第１開口部３１ａの内壁に当接した突起部１０３が設けられている。このため、構造体Ｚ１を所望の場所に搬送する際に、収容部１００内において、パネル１が振動する可能性を低減することができる。そのため、パネル１と基部１０１とが擦り合うことでパネル１に傷がついてしまう可能性を低減することができる。また、第１保護シート３と基部１０１とが擦り合うことで第１保護シート３の一部が削れてしまう可能性を低減することができる。
【００４２】
なお、本実施形態では、突起部１０３は、第１開口部３１ａの内壁に当接しているが、これに限らず、第１開口部３１ａの内壁に当接可能であればよい。突起部１０３が第１開口部３１ａの内壁に当接可能であれば、構造体Ｚ１を所望の場所に搬送する際に、パネル１の振動量を少なくすることができる。このため、構造体Ｚ１は、静止状態において、突起部１０３が第１開口部３１ａの内壁に接していなくともよく、構造体Ｚ１を所望の場所に搬送する際、パネル部材Ｘ１が振動した場合に、突起部１０３が第１開口部３１ａの内壁に当接可能であればよい。
【００４３】
また、本実施形態のように、第１開口部３１ａの内壁は、突起部１０３を取り囲んで接していることが好ましい。第１開口部３１ａの内壁が突起部１０３を取り囲んで接していると、構造体Ｚ１を所望の場所に搬送する際に、パネル１が振動する可能性をより低減することができる。
【００４４】
また、本実施形態のように、突起部１０３の先端部１０３ａにおける径Ｒ１は、突起部１０３の底部１０３ｂにおける径Ｒ２よりも小さいことが好ましい。具体的には、先端部１０３ａにおける最大断面視幅は、底部１０３ｂにおける最大断面視幅よりも小さいことが好ましい。径Ｒ１が径Ｒ２よりも小さいと、突起部１０３を第１開口部３１ａに挿入しやすくなる。ここで、先端部１０３ａとは、例えば、突起部１０３を１０等分した場合における最も先端側に位置する部位とすることができる。また、底部１０３ｂとは、例えば、突起部１０３を１０等分した場合における最も基部１０１の上面１０１Ａ側に位置する部位とすることができる。特に、本実施形態では、突起部１０３は、底部１０３ｂから先端部１０３ａにかけて徐々に径が小さくなっている。このため、突起部１０３を第１開口部３１ａにより挿入しやすくなる。
【００４５】
また、本実施形態のように、第１開口部３１ａの開口径Ｒ３は、先端部１０３ａにおける径Ｒ１よりも大きいことが好ましい。具体的には、第１開口部３１ａの最大断面視幅は、先端部１０３ａにおける最大断面視幅よりも大きいことが好ましい。開口径Ｒ３が径Ｒ１よりも大きいと、突起部１０３を第１開口部３１ａに挿入しやすくなる。なお、本実施形態では、開口径Ｒ３は、径Ｒ２と略同一である。
【００４６】
また、本実施形態のように、複数の第１開口部３１ａは、平面視してパネル１を挟んで互いに離間して位置しており、突起部１０３は、複数の第１開口部３１ａのそれぞれに対応して複数設けられていることが好ましい。具体的には、平面視して複数の第１開口部３１ａのうち２つの第１開口部３１ａを結んだ線分上に、パネル１が位置していることが好ましい。このような構成によると、構造体Ｚ１を所望の場所に搬送する際に、収容部１００内において、パネル１が突起部１０３を中心として回転振動する可能性を低減することができる。
【００４７】
また、本実施形態のように、側壁１０２は、パネル部材Ｘ１を取り囲むように位置しており、且つ基部１０１に対してパネル部材Ｘ１から遠ざかる方向に傾斜していることが好ましい。側壁１０２が基部１０１に対してパネル部材Ｘ１から遠ざかる方向に傾斜してい
ると、パネル部材Ｘ１を収容部１００に収容する際に、第１張出部３１が側壁１０２の上端１０２ａに接する可能性を低減することができる。このため、パネル部材Ｘ１を収容部１００に収容しやすくなる。
【００４８】
以上のように、構造体Ｚ１では、パネル１が傷ついてしまう可能性を低減することができる。なお、本実施形態では、構造体Ｚ１について具体的に説明したが、本発明に係る構造体はこれに限定されない。すなわち、本実施形態は、種々の変形が可能である。以下、いくつかの主な変形例を示す。
【００４９】
[変形例１]
図８は、変形例１に係る構造体Ｚ２の概略構成を示す斜視図である。なお、図８において、図１と同様の機能を有する構成については、同じ参照符号を付記し、その詳細な説明は省略する。
【００５０】
図８に示すように、構造体Ｚ２は、構造体Ｚ１が備えるパネル部材Ｘ１の代わりに、パネル部材Ｘ２を備えている。パネル部材Ｘ２は、収容部材Ｙ１の収容部１００に収容されている。
【００５１】
ここで、図８に加えて、図９および図１０を参照しながら、構造体Ｚ２が備えるパネル部材Ｘ２について詳細に説明する。なお、図９および図１０において、図２および図３と同様の機能を有する構成については、同じ参照符号を付記し、その詳細な説明は省略する。
【００５２】
パネル部材Ｘ２は、パネル部材Ｘ１が備える第１保護シート３に代えて、第１保護シート４を備えている。第１保護シート４は、パネル１の第１主面１Ａ上に設けられている。第１保護シート４は、平面視してパネル１の外側に張り出した第１張出部４１を有している。変形例１では、第１張出部４１は、平面視してパネル１の第１主面１Ａを取り囲むように位置している。第１張出部４１には、第１開口部４１ａが設けられている。第１開口部４１ａは、突起部１０３が挿入されるための部位である。第１開口部４１ａは、パネル１の４つの角部のそれぞれに対応して、４つ設けられている。なお、第１開口部４１ａの開口径Ｒ４は、パネル部材Ｘ１における第１開口部３１ａの開口径Ｒ３よりも小さい。具体的には、第１開口部４１ａの最大断面視幅は、パネル部材Ｘ１における第１開口部３１ａの最大断面視幅よりも小さい。
【００５３】
次に、図８〜図１０に加えて、図１１および図１２を参照しながら、構造体Ｚ２における収容部１００および当該収容部１００に収容されたパネル部材Ｘ２について、詳細に説明する。なお、図１１および図１２において、図６および図７と同様の機能を有する構成については、同じ参照符号を付記し、その詳細な説明は省略する。
【００５４】
図１１および図１２に示すように、パネル部材Ｘ２は、収容部１００の基部１０１に載置されている。具体的には、パネル１の第２主面１Ｂは、基部１０１の上面１０１Ａ上に載置されている。また、パネル部材Ｘ２は、側壁１０２によって取り囲まれている。ここで、突起部１０３は、第１開口部４１ａ内に位置している。具体的には、突起部１０３は、第１開口部４１ａに挿入されている。また、突起部１０３は、第１開口部４１ａの内壁に当接している。具体的には、突起部１０３は、平面視して第１開口部４１ａの外縁と当接している。
【００５５】
ここで、第１開口部４１ａは、基部１０１の上面１０１Ａとは離間して位置している。このため、構造体Ｚ１を所望の場所に搬送する際に、当該搬送による振動がパネル部材Ｘ２に伝わることによって、第１開口部４１ａの近傍に位置する第１保護シート４と基部１
０１とが擦り合う可能性を低減することができる。このため、平面視して第１開口部４１ａの外縁と第１保護シート４の外縁との間に亀裂が生じてしまう可能性を低減することができる。
【００５６】
なお、変形例１のように、第１開口部４１ａの開口径Ｒ４は、先端部１０３ａにおける径Ｒ１よりも大きいことが好ましい。開口径Ｒ４が径Ｒ１よりも大きいと、突起部１０３を第１開口部４１ａに挿入しやすくなる。また、変形例１のように、第１開口部４１ａの開口径Ｒ４は、底部１０３ｂにおける径Ｒ２よりも小さいことが好ましい。開口径Ｒ４が径Ｒ２よりも小さいと、第１開口部４１ａの内壁が突起部１０３に当接する可能性を向上することができる。なお、変形例１では、構造体Ｚ２は、静止状態において、突起部１０３が第１開口部４１ａの内壁に当接しているが、これに限らない。突起部１０３は、構造体Ｚ２を所望の場所に搬送する際、当該搬送による振動がパネル部材Ｘ２に伝わった場合において、第１開口部４１ａの内壁に当接可能であればよい。
【００５７】
[変形例２]
図１３は、変形例２に係る構造体Ｚ３の概略構成を示す斜視図である。なお、図１３において、図１と同様の機能を有する構成については、同じ参照符号を付記し、その詳細な説明は省略する。
【００５８】
図１３に示すように、構造体Ｚ３は、構造体Ｚ１が備えるパネル部材Ｘ１の代わりに、パネル部材Ｘ３を備えている。パネル部材Ｘ３は、収容部材Ｙ１の収容部１００に収容されている。
【００５９】
ここで、図１３に加えて、図１４および図１５を参照しながら、構造体Ｚ３が備えるパネル部材Ｘ３について詳細に説明する。なお、図１３において、図２と同様の機能を有する構成については、同じ参照符号を付記し、その詳細な説明は省略する。
【００６０】
図１４および図１５に示すように、パネル部材Ｘ２は、パネル部材Ｘ１が備える第１保護シート３に代えて、第１保護シート５を備えている。第１保護シート５は、パネル１の第２主面１Ｂ上に設けられている。第１保護シート５は、平面視してパネル１の外側に張り出した第１張出部５１を有している。変形例１では、第１張出部５１は、平面視してパネル１の第２主面１Ｂを取り囲むように位置している。第１張出部５１には、第１開口部５１ａおよび第１突出部５１ｂが設けられている。第１開口部５１ａは、突起部１０３が挿入されるための部位である。第１開口部５１ａは、パネル１の４つの角部のそれぞれに対応して４つ設けられている。第１突出部５１ｂは、パネル１から第１保護シート５をとり剥がしやすくする役割を有する。変形例２では、第１突出部５１ｂは、２つ設けられている。一方の第１突出部５１ｂは、平面視して第１保護シート５の長辺から突出しており、第１開口部５１ａの１つと隣接している。他方の第１突出部５１ｂは、平面視して第１保護シート５の短辺から突出しており、第１開口部５１ａの１つと隣接している。
【００６１】
ここで、第１保護シート５の第１張出部５１には、複数の孔５１ｃが設けられている。孔５１ｃは、平面視して第１開口部５１ａの外縁から第１保護シート５の外縁に亘って設けられている。このため、パネル部材Ｘ３が収容部１００に収容された構造体Ｚ３において（図１６参照）、パネル部材Ｘ３を収容部１００から取り出す際に、複数設けられた孔５１ｃをガイドとして第１保護シート５に亀裂を生じさせることができる。このため、第１開口部５１ａが突起部１０３に引っ掛かることによって、収容部１００からパネル部材Ｘ３を取り出しにくくなる可能性を低減することができる。
【００６２】
なお、変形例３では、複数の孔５１ｃは、全体として一列状に設けられているが、これに限らず、複数の列状あるいは蛇行列状に設けられていてもよい。すなわち、複数の孔５
１ｃは、当該複数の孔５１ｃが存在しない場合に比して、第１保護シート５に亀裂を生じさせやすいように設けられていればよい。
【００６３】
また、変形例３のように、複数の孔５１ｃは、第１突出部５１ｂの近傍に位置していることが好ましい。具体的には、複数の孔５１ｃは、平面視して第１開口部５１ａの外縁から第１突出部５１ｂがなす角部Ｃ１にかけて破線状に設けられていることが好ましい。複数の孔５１ｃが第１突出部５１ｂの近傍に位置していると、構造体Ｚ３において、パネル部材Ｘ３を収容部１００から取り出す際に、第１突出部５１ｂを保持しながら、破線状に複数設けられた孔５１ｃをガイドとして第１保護シート５に亀裂を生じさせることができる。このため、第１保護シート５に亀裂を生じさせることが容易になる。
【００６４】
[変形例３]
図１７は、変形例３に係る構造体Ｚ４の概略構成を示す斜視図である。なお、図１７において、図１と同様の機能を有する構成については、同じ参照符号を付記し、その詳細の説明は省略する。
【００６５】
図１７に示すように、構造体Ｚ４は、構造体Ｚ１が備えるパネル部材Ｘ１に代えて、パネル部材Ｘ４を備えている。パネル部材Ｘ４は、収容部材Ｙ１の収容部１００に収容されている。
【００６６】
ここで、図１７に加えて、図１８〜図２０を参照しながら、構造体Ｚ４が備えるパネル部材Ｘ４について詳細に説明する。なお、図１８および図１９において、図２および図３と同様の機能を有する構成については、同じ参照符号を付記し、その詳細な説明は省略する。
【００６７】
図１８〜図２０に示すように、パネル部材Ｘ４は、第２保護シート６をさらに備えている。第２保護シート６は、パネル１の第１主面１Ａを保護する役割を有する。第１保護シート６は、パネル１の第１主面１Ａ上に設けられている。具体的には、第２保護シート６は、平面視して第１主面１Ａの全部と重なっている。なお、第２保護シート６は、平面視して第１主面１Ａの一部と重なっていてもよい。本実施形態では、第２保護シート６は、第１保護シート３と略同一の形状を有している。第２保護シート６の構成材料としては、第１保護シート３と同様のものが挙げられる。
【００６８】
第２保護シート６は、第２張出部６１を有している。第２張出部６１は、パネル部材Ｘ４が収容部材Ｙ１の収容部１００に収容された場合に（図２１および図２２参照）、パネル１と収容部１００の側壁１０２とが接触する可能性を低減する役割を有する。第２張出部６１は、平面視してパネル１の外側に張り出している。具体的には、第２張出部６１は、平面視してパネル１を取り囲むように位置している。なお、第２張出部６１は、平面視してパネル１を取り囲んでいなくともよく、例えば、平面視してパネル１の一辺から張り出していてもよい。
【００６９】
第２張出部６１には、第２開口部６１ａおよび第２突出部６１ｂが設けられている。
【００７０】
第２開口部６１ａは、パネル部材Ｘ４が収容部材Ｙ１の収容部１００に収容された場合に、収容部１００における基部１０１に設けられた突起部１０３に挿入されるための部位である。第２開口部６１ａは、平面視してパネル１の４つの角部に対応して４つ設けられている。第２開口部６１ａは、平面視して第１開口部３１ａと重なっている。また、第２開口部６１ａの開口径Ｒ５は、第１開口部３１ａの開口径Ｒ３よりも小さい。
【００７１】
第２突出部６１ｂは、パネル１から第２保護シート６をとり剥がしやすくする役割を有
する。変形例３では、第２突出部６１ｂは、平面視して第１保護シート３の短辺から突出しており、第２開口部６１ａの１つと隣接している。また、第２突出部６１ｂは、平面視して第１突出部３１ｂと重ならないように配置されている。
【００７２】
次に、図１７〜図２０に加えて、図２１および図２２を参照しながら、構造体Ｚ４における収容部１００および当該収容部１００に収容されたパネル部材Ｘ４について、詳細に説明する。なお、図２１および図２２おいて、図６および図７と同様の機能を有する構成については、同じ参照符号を付記し、その詳細な説明は省略する。
【００７３】
図２１および図２２に示すように、パネル部材Ｘ４は、収容部１００の基部１０１に載置されている。具体的には、パネル１の第２主面１Ｂは、第１保護シート３を介して基部１０１の上面１０１Ａ上に載置されている。また、パネル部材Ｘ２は、側壁１０２によって取り囲まれている。ここで、突起部１０３は、突起部１０３は、第２開口部６１ａ内に位置している。具体的には、突起部１０３は、第２開口部６１ａに挿入されている。また、突起部１０３は、第２開口部６１ａの内壁に当接している。具体的には、突起部１０３は、平面視して第２開口部６１ａの外縁と当接している。このように、変形例４では、突起部１０３は、第１開口部３１ａ内および第２開口部６１ａ内に位置している。また、突起部１０３は、第１開口部３１ａおよび第２開口部６１ａに当接している。このため、変形例４では、構造体Ｚ４を所望の場所に搬送する際に、収容部１００内において、パネル１が振動する可能性をより低減することができる。
【００７４】
なお、変形例４では、突起部１０３は、第２開口部６１ａの内壁に当接しているが、これに限らず、第２開口部６１ａの内壁に当接可能であればよい。突起部１０３が第２開口部６１ａの内壁に当接可能であれば、構造体Ｚ４を所望の場所に搬送する際に、パネル１の振動量を少なくすることができる。このため、構造体Ｚ４は、静止状態において、突起部１０３が第２開口部６１ａの内壁に接していなくともよく、構造体Ｚ４を所望の場所に搬送する際、パネル部材Ｘ４が振動した場合に、突起部１０３が第２開口部６１ａの内壁に当接可能であればよい。
【００７５】
また、変形例４のように、第２開口部６１ａの開口径Ｒ５は、第１開口部３１ａの開口径Ｒ３よりも小さいことが好ましい。開口径Ｒ５が開口径Ｒ３よりも小さいと、例えば、突起部１０３が円錐形状を有する場合であっても、第２開口部６１ａの内壁が突起部１０３の接する可能性を向上することができる。
【００７６】
[変形例４]
図２３は、変形例４に係る構造体Ｚ５の概略構成を示す斜視図である。なお、図２３〜図２５において、図１、図６、および図７と同様の機能を有する構成については、同じ参照符号を付記し、その詳細の説明は省略する。
【００７７】
図２３〜図２５に示すように、構造体Ｚ５は、構造体Ｚ１が備えるパネル部材Ｘ１に代えて、パネル部材Ｘ５を備えている。
【００７８】
パネル部材Ｘ５は、パネル部材Ｘ１が備える第１保護シート３に代えて、第１保護シート７を備えている。第１保護シート７は、パネル１の第２主面２Ｂ上に設けられている。第１保護シート７は、平面視してパネル１の外側に張り出した第１張出部７１を有している。変形例１では、第１張出部７１は、平面視してパネル１の第２主面１Ｂを取り囲むように位置している。第１張出部７１には、第１開口部７１ａが設けられている。第１開口部７１ａは、パネル１の４つの角部のそれぞれに対応して４つ設けられている。なお、第１開口部７１ａの開口径Ｒ６は、パネル部材Ｘ１における第１開口部３１ａの開口径Ｒ３よりも小さい。具体的には、第１開口部７１ａの最大断面視幅は、パネル部材Ｘ１におけ
る第１開口部３１ａの最大断面視幅よりも小さい。
【００７９】
ここで、第１開口部７１ａの開口径Ｒ６は、突起部１０３の底部１０３ｂにおける径Ｒ３よりも小さい。このため、パネル部材Ｘ５は、基部１０１とは空間Ｓ１を介して離間している。具体的には、第１開口部７１ａの内壁は、突起部１０３の底部１０３ｂよりも先端部１０３ａ側において、当該突起部１０３ｂに当接している。このため、パネル部材Ｘ５は、第１開口部７１ａの内壁と突起部１０３とによって、基部１０１の上面１０１Ａから浮いた状態で保持される。そのため、変形例４では、構造体Ｚ５を所望の場所に搬送する際に、収容部１００内において、パネル部材Ｘ５と基部１０１の上面１０１Ａとが擦り合う可能性を低減することができる。
【００８０】
なお、変形例４では、パネル部材Ｘ５の全部は、基部１０１の上面１０１Ａとは空間Ｓ１を介して離間しているが、これに限らず、パネル部材Ｘ５の一部が、基部１０１の上面１０１Ａとは空間Ｓ１を介して離間していてもよい。
【００８１】
[変形例５]
なお、本明細書は、上記の実施形態、および変形例１〜４について個別具体的に説明したが、これに限らず、上記の実施形態、および変形例１〜４に個別に記載された事項を適宜組み合わせた例についても記載されているものである。すなわち、本発明に係る構造体は、構造体Ｚ１〜Ｚ５に限定されるものではなく、上記の実施形態、および変形例１〜４に個別に記載された事項を適宜組み合わせた構造体も含む。また、本発明に係るパネル部材は、パネル部材Ｘ１〜Ｘ５に限定されるものではなく、上記の実施形態、および変形例１〜４に個別に記載された事項を適宜組み合わせたパネル部材も含む。
【符号の説明】
【００８２】
Ｘ１〜Ｘ５  パネル部材
Ｙ１  収容部材
Ｚ１〜Ｚ５  構造体
Ｓ１  空間
１  パネル
１Ａ  パネルの第１主面（主面）
１Ｂ  パネルの第２主面（主面）
３〜５，７  第１保護シート
３１，４１，５１，７１  第１張出部
３１ａ，４１ａ，５１ａ，７１ａ  第１開口部
５１ｃ  孔
６  第２保護シート
６１  第２張出部
６１ａ  第２開口部
【図１】
2014105006.tif 000003
【図２】
2014105006.tif 000004
【図３】
2014105006.tif 000005
【図４】
2014105006.tif 000006
【図５】
2014105006.tif 000007
【図６】
2014105006.tif 000008
【図７】
2014105006.tif 000009
【図８】
2014105006.tif 000010
【図９】
2014105006.tif 000011
【図１０】
2014105006.tif 000012
【図１１】
2014105006.tif 000013
【図１２】
2014105006.tif 000014
【図１３】
2014105006.tif 000015
【図１４】
2014105006.tif 000016
【図１５】
2014105006.tif 000017
【図１６】
2014105006.tif 000018
【図１７】
2014105006.tif 000019
【図１８】
2014105006.tif 000020
【図１９】
2014105006.tif 000021
【図２０】
2014105006.tif 000022
【図２１】
2014105006.tif 000023
【図２２】
2014105006.tif 000024
【図２３】
2014105006.tif 000025
【図２４】
2014105006.tif 000026
【図２５】
2014105006.tif 000027